【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
入口及び出口を有する第１の毛細管通路と、液体試料を受け入れて、前記入口を介して前記毛細管通路に入れるための液体投入領域とを備える毛細管通路手段と組み合わせて用いられる、毛細管通路手段における液体の流れを制御するための液体流れ制御手段を備える装置であって、前記液体流れ制御装置は、前記第１の毛細管通路の前記出口を解放可能に閉塞するために動作可能な第１の閉塞手段を備える装置。
【請求項２】
前記閉塞手段は、前記閉塞手段及び液体試料間に接触しない毛細管通路内の液体試料の流れを制御可能である、請求項１に記載した装置。
【請求項３】
前記閉塞手段は、毛細管通路の出口を閉塞するように前記閉塞手段が配置される第１の位置と、毛細管通路の出口を閉塞しないように前記閉塞手段が配置される第２の位置との間を移動可能である、請求項１又は請求項２に記載した装置。
【請求項４】
前記毛細管通路手段は、入口及び出口を各々有する第２の又は更なる付加的な毛細管通路と、前記第２の又は更なる付加的な毛細管通路のそれぞれの出口を解放可能に閉塞するために動作可能な第２の又は更なる付加的な閉塞手段とを備える、請求項１から３の何れか１つに記載した装置。
【請求項５】
前記液体流れ制御手段及び毛細管通路手段は、解放可能に結合されて、単一の装置を形成する、請求項１から４の何れか１つに記載した装置。
【請求項６】
毛細管通路の一部に対する、液体試料の所定の容量を測定するための試料測定手段と更に組み合わせて用いられる、請求項１から５の何れか１つに記載した装置。
【請求項７】
前記毛細管通路手段は、第１の毛細管通路（又は、第２の又は更なる付加的な毛細管通路）と、前記第１の毛細管通路から分かれてその長さ方向に沿って延び、入口に至る側部通路であって、前記側部通路への入り口が、前記第１の毛細管通路との結合によって構成されるところの側部通路とを備え、前記液体流れ制御手段は、第１の毛細管通路の前記出口を解放可能に閉塞するために動作可能な第１の閉塞手段と、前記側部通路の出口を解放可能に閉塞するために動作可能な第２の閉塞手段とを備える、請求項６に記載した装置。
【請求項８】
分配されるべき液体の、破断可能な閉塞された容器と、前記容器を破断し、内容物を解放するための破断手段とを備える液体分配手段と組み合わせて用いられ、前記容器及び／又は破断手段は、前記容器が破断されないところの第１の位置と、前記容器が破断されるところの第２の位置との間を相対移動するように設けられる、請求項１から７の何れか１つに記載した装置。
【請求項９】
前記装置は、毛細管通路に至る試料投入孔を有する前記液体投与領域と液体連絡されるウェルを備える、請求項１から８の何れか１つに記載した装置。
【請求項１０】
毛細管通路は、毛細管通路の末端又は近接端部から離れて設けられた１又は２以上の付加的な出口と、付加的な出口を解放可能に閉塞して、装置内の液体試料の流れを制御するように動作可能な第１の閉塞手段とを備える、請求項１から９の何れか１つに記載した装置。
【請求項１１】
前記閉塞手段（及び、存在する場合には、付加的な閉塞手段）は、前記閉塞手段を動作するように、制御要素上に移動可能に設けられている、請求項１から１０の何れか１つに記載した装置。
【請求項１２】
複数の前記毛細管通路の出口、及び、場合により、存在する場合には何れかの側部通路の出口は、前記液体投入領域付近に位置しており、前記制御要素は、前記液体投入領域を取り囲んでいる、請求項１１に記載した装置。
【請求項１３】
前記制御要素は、前記液体入口が、前記液体投入領域と液体連絡されておらず、そして、前記第１の閉塞手段が、前記毛細管通路の前記出口を閉塞していないところの第１の非アクティブ位置と、前記液体入口が、前記液体投入領域と液体連絡されており、そして、前記第１の閉塞手段が、前記第１の毛細管通路の前記出口を閉塞しているところの第２の位置との間を移動可能である、請求項１１又は１２に記載した装置。
【請求項１４】
側部通路が存在する場合に、第１の非アクティブ位置における何れの側部通路の出口を閉塞することなく、また、第２の位置における何れの側部通路の出口を閉塞することがないように、第２の閉塞手段が配置される、請求項１３に記載した装置。
【請求項１５】
前記第１の閉塞手段が、前記第１の毛細管通路の出口を閉塞せず、何れかの第２の閉塞手段が、何れかの側部通路の出口を閉塞し、そして好ましくは、前記液体入口が、前記液体投入領域に液体連絡されていないところの第３の位置に、前記制御要素が移動可能である、請求項１４に記載した装置。
【請求項１６】
前記試料ウェルは、前記毛細管通路手段内の凹部又は窪みであり、好ましくは、前記制御要素の回転によって、前記試料ウェルを露出させ又は隠すためのカバーを提供するように、前記制御要素の下面が、前記試料ウェルのカバーを形成する、請求項１１から１５の何れか１つに記載した装置。
【請求項１７】
２又は３以上の閉塞手段が、単一の閉塞コンポーネントによって構成される、請求項１から１６の何れか１つに記載した装置。
【請求項１８】
閉塞コンポーネントが、制御要素上に配置され、又は、制御要素の一部を構成する、請求項１７に記載した装置。
【請求項１９】
前記第１の閉塞手段が、前記第１の毛細管通路の出口を閉塞するように位置しているところの第１の位置と、前記閉塞手段が、第１の毛細管通路の前記出口を閉塞しないように位置しているところの第２の位置との間を移動可能な単一の閉塞コンポーネントによって、２又は３以上の第１の閉塞手段が構成される、請求項１７又は１８に記載した装置。
【請求項２０】
前記第２の閉塞手段が、側部通路の出口を閉塞しないように位置しているところの第１の位置と、前記閉塞手段が、側部通路の出口を閉塞するように位置しているところの第２の位置との間を移動可能な単一の閉塞コンポーネントによって、２又は３以上の第２の閉塞手段が構成される、請求項７を引用する請求項１７又は１８に記載した装置。
【請求項２１】
前記第１の閉塞手段が、前記第１の毛細管通路の前記出口を閉塞するように位置しており、且つ、前記第２の閉塞手段が、前記側部通路の前記出口を閉塞しないように位置しているところの第１の位置と、前記第１の閉塞手段が、毛細管通路の前記出口を閉塞しないように位置しており、且つ、前記第２の閉塞手段が、前記側部通路の前記出口を閉塞するように位置しているところの第２の位置との間を、前記要素が移動可能である、請求項７を引用する請求項１７又は１８に記載した装置。
【請求項２２】
２又は３以上の第１の閉塞手段及び２又は３以上の第２の閉塞手段、又は、単一の閉塞コンポーネントが、制御要素に設けられ、前記制御要素は、前記第１の閉塞手段が、前記第１の毛細管通路の前記出口を閉塞するように位置しており、且つ、前記第２の閉塞手段が、前記側部通路の前記出口を閉塞しないように位置しているところの第１の位置と、前記第１の閉塞手段が、第１の毛細管通路の前記出口を閉塞しないように位置しており、且つ、前記第２の閉塞手段が、側部通路の前記出口を閉塞するように位置しているところの第２の位置との間を移動可能である、請求項１７又は１８に記載した液体流れ制御装置。
【請求項２３】
前記液体分配手段は、前記液体流れ制御手段、好ましくは、その制御要素によって提供される、請求項８、及び、請求項８を引用する請求項９から２２の何れか１つに記載した装置。
【請求項２４】
前記閉塞手段を動作させるための前記制御要素の運動は、前記容器を破断する運動を伴う、請求項８、及び、請求項８を引用する請求項９から２３の何れか１つに記載した装置。
【請求項２５】
前記制御要素の回転運動を、前記液体分配手段の作動手段の直線運動と動作可能にリンクするために、カムが設けられる、請求項２４に記載した装置。
【請求項２６】
請求項１から２３の何れか１つに記載された、閉塞手段及び液体分配手段を備える制御要素。
【請求項２７】
タイマを備える、請求項１から２６の何れか１つに記載した装置。
【請求項２８】
液体試料の有無を決定するための検出手段が、毛細管通路内、及び、場合により、存在する場合には、側部通路内に設けられている、請求項１から２７の何れか１つに記載した装置。
【請求項２９】
前記検出手段は、前記装置の制御要素に動作可能にリンクされている、請求項２８に記載した装置。
【請求項３０】
前記毛細管通路は、関連のある成分との反応を生ぜしめることが可能な試薬システムを組み入れている、請求項１から２９の何れか１つに記載した装置。
【請求項３１】
請求項１から３０の何れか１つに記載された、液体流れ制御手段と、毛細管通路手段とを備える、試料試験装置。
【請求項３２】
前記試料試験装置は、好ましくは、請求項６に記載された試料測定手段を更に備える、請求項３１に記載した試料試験装置。
【請求項３３】
請求項８、及び、請求項８を引用する請求項９から２５の何れか１つに記載した液体分配手段を更に備える、請求項３１又は３２に記載した試料試験装置。
【請求項３４】
請求項８、及び、請求項８を引用する請求項９から２５の何れか１つに記載した液体分配手段。
【請求項３５】
請求項１から３４の何れか１つに記載した液体流れ制御手段。